(57)【要約】器具の有効寿命は、これについて衛生上、医療上又は技術上の理由があれば、制限されることになる。これには、器具のユーザによっては作動不可能であり、規定の作動回数にいったん達すると、器具のそれ以上の使用を高信頼度で有効に且つ確実に阻止する装置が必要である。作動スプリングとカウンタを備えたロック装置が前記装置に設けられ、２部品ハウジング内に収納された、２部品の両方が互いに対して回転するように取付けられ、予め張力を付与されている板ばねにより、上側部品をロックできる。板ばねは、最初は、一方のハウジング部品の壁の凹部に収容されている。許容作動回数に達するとすぐにプッシュロッドが板ばねを押してこれをその休止位置から離脱させる。板ばねは他方のハウジング部品の壁に設けられた凹部内に延び、両方のハウジング部品がもはや互いに回転できないようにする。ピンをカウンタのカウンタの表示部に取り付けるのがよい。このブロック装置に打ち勝つには、この装置を破壊するほどの力を加えることしかない。この装置は、流体を噴霧してエーロゾルを生じさせる高圧噴霧器又は流体を生物学的組織中へ注射する針無し注射器の作動をブロックするのに適している。
2005537130.tif 000002
【特許請求の範囲】
【請求項１】
作動ばね及びシリンダ内で動くことができるよう設けられたピストンを収容しているばね伝達部材を備えた係止−応力印加機構を有する器具のブロック装置であって、これら構成要素が上側ハウジング部品及び下側ハウジング部品から成る２部品構成のハウジング内に収納され、２部品が互いに対して回転自在に設けられ、２つのハウジング部品を互いに対して手動で回転させることによりスクリュースラスト歯車によって作動ばねに張力が加えられ、２つのハウジング部品を互いに対して回転させると、それと同時に機械式カウンタが作動され、機械式カウンタがねじ山付きスピンドル及びスライダを有し、ねじ山付きスピンドルが下側ハウジング部品の壁内に設けられ、スライダが互いに対する２つのハウジング部品の回転の回数に応じた量だけスピンドルに沿って動かされるブロック装置において、
凹部が下側ハウジング部品の外壁及び上側ハウジング部品の内壁に設けられ、
２つの凹部は、２つのハウジング部品が一定の回転位置にあるとき、互いに向かい合って位置し、
可動ブロック要素が設けられ、この可動ブロック要素は、当初だけ下側ハウジング部品の凹部内に位置し、
ブロック要素を動かすプッシュロッドが設けられ、このプッシュロッドは、カウンタのスピンドルに嵌まっているスライダと協働することを特徴とするブロック装置。
【請求項２】
プッシュロッドは、スライダに取り付けられていることを特徴とする請求項１記載のブロック装置。
【請求項３】
プッシュロッドは、ブロック要素に取り付けられていることを特徴とする請求項１記載のブロック装置。
【請求項４】
プッシュロッドは、カウンタのスピンドルの延長部として構成され、スピドルは、軸方向に動くことができるように設けられていることを特徴とする請求項１記載のブロック装置。
【請求項５】
ブロック要素は、軸方向に動くことができることを特徴とする請求項１記載のブロック装置。
【請求項６】
ブロック要素は、予備応力が加えられた板ばねであることを特徴とする請求項１記載のブロック装置。
【請求項７】
ブロック要素は、２つの脚部を備えている予備応力が加えられた板ばねであり、好ましくは金属で作られることを特徴とする請求項１又は６記載のブロック装置。
【請求項８】
治療上活性の物質の入った液体を噴霧してエーロゾルを生じさせる小型化構造の高圧噴霧器の作動をブロックする請求項１記載のブロック装置の用途。
【請求項９】
治療上活性の物質の入った液体を動物又はヒトの組織中に注射する小型化構造の針無し注射器の作動をブロックする請求項１記載のブロック装置の用途。
【発明の詳細な説明】
【技術分野】
【０００１】
本発明は、ブロック装置であって、このブロック装置によって係止−応力印加機構及びばね作動式出力駆動装置を備えた器具の適正な使用を所定作動回数後に阻止するブロック装置に関する。この器具は、例えば、高圧噴霧器（アトマイザ）又は針無し注射器であるのがよい。
【０００２】
本発明の目的は、このような装置の使用期間を信頼性をもって制限すると共に安全上の要件を満たすことにある。制限の理由は、衛生上、医療上又は技術上の事情に基づいている場合がある。
【背景技術】
【０００３】
許可された使用期間が経過した後に動作がブロックされる係止−応力印加機構は好ましくは、手動式器具内に収容された螺旋スラスト歯車を有し、この螺旋スラスト歯車により、回転運動を直線運動に変換し、作動ばねに張力をかける。作動ばねは、係止−応力印加機構のばねコンポーネントに作用し、このばねコンポーネントの運動は当初、作動ばねが張力を加えられた状態に達するとすぐにブロックされる。ばねコンポーネント内にピストンを固定するのがよく、このピストンは、シリンダ内に可動的に設けられる。シリンダ内部でピストンの前には、液体が入れられ、この液体は、係止−応力印加機構の係止機構が作動ばねにより駆動されたピストンによって作動されるとノズルを通って放出される。係止−応力印加機構、それ故、ブロック装置の作動回数は、機械式カウンタによってカウントできる。
【０００４】
国際公開第ＷＯ９３／２１９８０号パンフレットには、定量吸入器が記載されている。吸入されるべき物質の投与分が、手動式器具により吸入器内に収容された物質の供給源からチャンバ内へ導入され、投与分は、ユーザが吸息すると吸入器を通って吸い込まれる空気の流れと共にチャンバから放出される。定量吸入器は、回転自在なスクリュースピンドル及びロッドを有するカウンタを備え、ロッドの一端部は、ノーズの形態をしていて、スクリュースピンドルのねじ部に嵌まっている。ロッドは、スピンドルの回転が増加すると、スクリュースピンドルに平行に動く。カウンタは、ロッドのノーズ上端部の位置により、既に物質の供給源から取り出され又は依然として取り出すことができる投与回数を指示する。ロッドの他端部は、スクリュースピンドルの回転が増加すると、ロッドがより深く入り込むガイドシャフト内に可動的に保持される。吸入器内の物質供給源が終わりになるとすぐに、スクリュースピンドル内に嵌まっているロッドのノーズ状端部は、スクリュースピンドルの残部よりもピッチの大きな多数の並んだねじ部を有するスピンドルの部分に達する。その結果、スクリュースピンドルの回転のそのたび毎に、ロッドは前よりも早く先へ進む。他方、ロッドの他端部は、可撓性レバーに当接し、定量吸入器のそれ以上の作動が阻止される。
【０００５】
国際公開第ＷＯ９７／２０５９０号パンフレットは、ばね作動式出力駆動装置用の係止−応力印加機構を記載している。国際公開第ＷＯ９７／２４５８６号パンフレットは、計量器具用の機械式カウンタを記載している。国際公開第ＷＯ９７／１２６８７号パンフレットは、係止−応力印加機構及びカウンタを備えた小型器具内の流体に高圧を生じさせる装置を記載している。この器具は、吸入可能なエーロゾルを生じさせるよう流体を噴霧するために用いられる。国際公開第ＷＯ０１／６４２６８号パンフレットは、係止−応力印加機構を収納した針無し注射器を記載している。
【０００６】
一例として上述した器具の部品は、繰り返し使用されること、例えば、肺の中へ吸入されるエーロゾルを生じさせるよう所与の量の液体を繰り返し噴霧し又は針を用いないでヒト又は動物の皮下に所与の量の液体を繰り返し注射することが意図されている。噴霧され又は注射される量の液体は、治療活性物質を含むのがよい。
【発明の開示】
【発明が解決しようとする課題】
【０００７】
本発明が解決しようとする課題は、所定作動回数後、これについてやむを得ない理由があれば、器具のそれ以上の使用を高信頼度で効果的に且つ最終的に阻止する器具用の装置を提供することにある。この器具は、作動ばね及びばね伝達部材を備えた係止−応力印加機構を有し、シリンダ内で動くことができるよう設けられたピストンがこのばね伝達部材内に収納されている。これら構成要素は、上側ハウジング部品及び下側ハウジング部品から成る２部品構成のハウジング内に収容されている。２つのハウジング部品は、互いに対して回転自在に設けられている。作動ばねは、２つのハウジング部品を互いに対して手動で回転させることによりスクリュースラスト歯車によって張力が加えられる。ハウジング部品を互いに対して回転させるとそれと同時に、ねじ山付きスピンドル及びスライダを有する機械式カウンタが作動される。ねじ山付きスピンドルは、下側ハウジング部品の壁内に設けられている。スライダは、互いに対する２つのハウジング部品の回転の回数に応じた量だけスピンドルに沿って上下する。
【課題を解決するための手段】
【０００８】
この課題は、本発明によれば、以下の新規な特徴を有する装置によって解決される。
凹部が、下側ハウジング部品の外壁及び上側ハウジング部品の内壁に設けられる。２つの凹部は、２つのハウジング部品が所与の回転位置にあるとき、互いに向かい合って位置する。
【０００９】
下側ハウジング部品の凹部内には、可動ブロック要素が設けられ、この可動ブロック要素は、ブロック装置の作動前にだけこの凹部内に位置し、それにより２つのハウジング部品が互いに対して回転することができるようにする。ブロック装置は、その作動後、両方の凹部内に位置し、それにより２つのハウジング部品は互いに対して回転するのが阻止される。
カウンタのスピンドルに取り付けられているスライダと協働するプッシュロッドにより、ブロック要素はその休止位置から離脱してブロック装置の作動後に占める位置に動く。
【００１０】
他方、プッシュロッドをカウンタのスピンドル側でスライダに取り付けるのがよい。ブロック装置のこの実施形態では、この装置の通常の使用中、スライダは上方スピンドル取付け部に向かうと共に上側ハウジング部品に向かって動く。下側ハウジング部品の壁の凹部は、カウンタスピンドルの軸線に隣接して設けられる。スライダが上方スピンドル取付け部と接触する前に、プッシュロッドは、下側ハウジング部品の壁の凹部内に位置したブロック要素を動かしてその休止位置から離脱させ、それによりブロック装置を作動させる。
【００１１】
プッシュロッドは又、ブロック要素の延長部として構成できる。この実施形態では、プッシュロッドの端部は、スライダがカウンタスピンドルの上方取付け部に当接する前に、装置の通常の使用中、スライダの辿る経路中へ突き出る。この実施形態は、上述の実施形態と全く同一の仕方で作用する。
【００１２】
ブロック装置の別の実施形態では、プッシュロッドがカウンタスピンドルの延長部として構成され、上方スピンドル取付け部を越えて突き出てもよい。この場合、カウンタスピンドルは、軸方向に動くことができるよう設けられる。下側ハウジング部品の壁の凹部は好ましくは、カウンタスピンドルの軸線上に設けられる。ブロック装置を作動させる前に、カウンタスピンドルをばね、例えばコイルばねにより下方スピンドル取付け部に押し付ける。ブロック装置のこの実施形態では、スライダは、装置の通常の使用中、下方スピンドル取付け部に向かって動く。スライダが下方スピンドル取付け部に当接するとすぐに、カウンタスピンドルは、引き続き回転しながら上側ハウジング部品に向かって軸方向に動く。プッシュロッドの形態をしたカウンタスピンドルの延長部は、下側ハウジング部品の壁の凹部内に位置したブロック要素を動かしてその休止位置から離脱させ、それによりブロック装置を作動させる。
【００１３】
上述した実施形態とは対照的にブロック要素をスライダにより引っ張ってその休止位置から離脱させてもよい。
【００１４】
下側ハウジング部品の壁の中に位置するブロック要素は、軸方向又は半径方向に動くことができるものであるのがよい。ブロック要素は、板ばね、好ましくは金属で作られた２つの脚部を備える予備応力が加えられた板ばねであるのがよい。
【００１５】
本発明のブロック装置は以下の利点を有している。
これは、小型機器に適している。
これは、互いにオーバーラップするハウジング部品相互間に配置され、その使用位置ではユーザには接近できない器具内に配置される。
これは、組立てが容易である。
【００１６】
２つの脚部を備える予備応力が加えられた板ばねの形態をしているブロック要素が、その休止位置では付加的な努力をしないかぎり運動することはないよう固定される。
予備応力を加えられた板ばねを比較的僅かな力でその吸息位置に押し込んだり又はこれから引き出すことができる。
【００１７】
２つの脚部を備える予備応力が加えられた板ばねは、その休止位置から、ブロック装置を作動させたときに占める位置に、これがプッシュロッドにより或る距離動かされるとすぐにいきなりジャンプする。かくして、ブロック装置の応答箇所が、正確に定められる。
互いに対する２つのハウジング部品の回転は、元々下側ハウジング部品の壁の凹部内に位置していたブロック要素が両方の凹部内に同時に位置するとすぐに直接ブロックされる。
【００１８】
予備応力が加えられた金属製板ばねを収容した作動状態のブロック装置に打ち勝つのは、数ニュートンメートルに上る力のモーメントによってのみ可能であり、この力のモーメントは、ブロックされた装置を破壊することになる。
【００１９】
本発明のブロック装置は、例えば高圧噴霧器又は針無し注射器に用いられる。かかる器具を用いて投与される医療用液体は、溶剤中に溶解させた薬剤を含むのがよい。適当な溶剤としては、例えば、水、エタノール又はこれらの混合液が挙げられる。当該薬剤は例えば、ベロテック（Berotec）（臭化水素酸フェノテロール、１−（３．５−ジヒドロキシ−フェニル）−２−〔〔１−（４−ヒドロキシ−ベンジル）−エチル〕−アミノ〕−エタノール−臭化水素酸塩）、アトロベント（Atrovent）（臭化イプラトロピウム）、ベロデュアル（Berodual）（臭化水素酸フェノテロールと臭化イプラトロピウムの組み合わせ）、サルブタモール（又はアルブテロール）、コンビベント（Combivent）、オキシベント（Oxivent）（臭化オキシトロピウム）、Ｂａ６７９（臭化チオトロピウム）、ＢＥＡ２１０８（トロペノールジ−（２−チェニルグリコレート）、フルニソリド、ブデソニドその他であるのがよい。
【発明を実施するための最良の形態】
【００２０】
本発明のブロック装置の好ましい実施形態を図面を参照して詳細に説明する。図１及び図２は、下側及び上側ハウジング部品の壁並びにブロック要素としての板ばね及び壁に設けられた凹部と同じ高さにあるプッシュロッドの部分縦断面図である。縦断面は、下側及び上側ハウジング部品の軸線に平行に取ってある。
【００２１】
図３及び図４は、カウンタ及びブロック装置の領域が切り欠かれた状態の器具の縦側面図である。
図１及び図３では、ブロック装置は、休止位置で示されている。ブロック要素は、その休止位置にあり、下側ハウジング部品の壁に設けられた凹部内に位置しているに過ぎない。図２及び図４は、作動状態にあるブロック装置を示している。ブロック要素は動かされてその休止位置から離脱しており、２つのハウジング部品の壁の両方の凹部内に位置している。
【００２２】
上側ハウジング部品（１）は、下側ハウジング部品（２）とオーバーラップしている。互いに対し回転自在に設けられた２つのハウジング部品相互間の隙間（３）は、図面では誇張されている。上側ハウジングには、凹部（４）が設けられ、下側ハウジング部品には凹部（５）が設けられている。凹部（５）は、アンダーカット突出部（６）を有し、このアンダーカット突出部は、凹部（５）の側壁のところで下側ハウジング部品に連結されている。プッシュロッド（８ａ，８ｂ）が、下側ハウジング部品の壁の凹部内へ突き出ている。プッシュロッドは、スライダ（図１及び図２には示さず）に取り付けられ、このスライダは、カウンタのスピンドル（図１及び図２では示さず）に嵌められている。ブロック要素は、２つの脚部を備えた板ばねである。板ばね（７ａ）は、その休止位置では、凹部（５）の底部とアンダーカット突出部（６）との間に押し込められた状態で位置する。プッシュロッド（８ａ）は、板ばね（６）との接触の直前で占める位置で示されている。装置を更に作動させると、プッシュロッドは、板ばねに向かって動いてこれを押してこの休止位置から離脱させ、板ばねの端部が前方にジャンプして突出部（６）の後ろに位置するようになる。２つの凹部（４），（５）がこの時点においてまだ互いに向かい合って位置していなければ、前方にジャンプして突出部（６）の後ろに位置した板ばねの端部は先ず最初に、上側ハウジング部品の内壁に接触する。２つのハウジング部品の互いに対する回転が続いて２つの凹部（４），（５）が互いに向かい合うとすぐに板ばねの端部は凹部（４）内へジャンプする。かくして、板ばね（７ｂ）は、両方の凹部内に位置し、ブロック装置が作動される。
【００２３】
図３は、ブロック装置が先ず最初に用いられる前にスライダ（９）がその（下方）開始位置で嵌められているカウンタのスピンドル（１０）を示している。プッシュロッド（８ａ）は、板ばね（７ａ）から或る程度の距離を置いたところに位置している。
【００２４】
図４では、スピンドルに嵌められているスライダは、これが板ばね（８ｂ）の端部に接触して板ばねを押してこれをその休止位置から離脱させたその（上方）端位置にあり、その結果、ブロック装置が作動されている。
【００２５】
ブロック要素として図示されているあらかじめ応力が加えられた板ばね（７ａ，７ｂ）は、例えば厚さ約０．２ｍｍ、幅約３．５ｍｍのばね鋼から成る。２つのハウジング部品の壁の２つの凹部の幅は約４ｍｍであり、その深さは約１ｍｍである。ブロック装置をいったん作動させると、２つのハウジング部品を互いに対して回転させるには必ず相当大きな力（力のモーメントは、約３ニュートンメートル）を加えなければならないが、これによりブロック装置が壊れ、使えなくなる。
【図面の簡単な説明】
【００２６】
【図１】下側及び上側ハウジング部品の軸線に平行に沿って見た下側及び上側ハウジング部品の壁並びにブロック要素としての板ばね及び壁に設けられた凹部と同じ高さにあるプッシュロッドの部分縦断面図である。
【図２】下側及び上側ハウジング部品の軸線に平行に沿って見た下側及び上側ハウジング部品の壁並びにブロック要素としての板ばね及び壁に設けられた凹部と同じ高さにあるプッシュロッドの部分縦断面図である。
【図３】カウンタ及びブロック装置の領域が切り欠かれた状態の器具の縦側面図である。
【図４】カウンタ及びブロック装置の領域が切り欠かれた状態の器具の縦側面図である。
【図１】
2005537130.tif 000003
【図２】
2005537130.tif 000004
【図３】
2005537130.tif 000005
【図４】
2005537130.tif 000006
【手続補正書】
【提出日】平成16年6月11日(2004.6.11)
【手続補正１】
【補正対象書類名】特許請求の範囲
【補正対象項目名】全文
【補正方法】変更
【補正の内容】
【特許請求の範囲】
【請求項１】
作動ばねと、シリンダ内で動くことができるよう設けられたピストンを収容しているばね伝達部材とを有する係止−応力印加機構を備えたブロック装置付きの器具であって、
これら構成要素が上側ハウジング部品及び下側ハウジング部品を備えている２部品構成のハウジング内に収納され、２部品が互いに対して回転自在に設けられ、２つのハウジング部品を互いに対して手動で回転させることによりスクリュースラスト歯車によって作動ばねに張力が加えられ、２つのハウジング部品を互いに対して回転させると、それと同時に機械式カウンタが作動され、機械式カウンタがねじ山付きスピンドル及びスライダを有し、ねじ山付きスピンドルが下側ハウジング部品の壁内に設けられ、スライダが互いに対する２つのハウジング部品の回転の回数に応じた量だけスピンドルに沿って動かされる器具において、
凹部が下側ハウジング部品の外壁及び上側ハウジング部品の内壁に設けられ、
前記２つの凹部は、２つのハウジング部品が一定の回転位置にあるとき、互いに向かい合って位置し、
可動ブロック要素が設けられ、この可動ブロック要素は、当初だけ下側ハウジング部品の凹部内に位置し、
前記ブロック要素を動かすプッシュロッドが設けられ、このプッシュロッドは、カウンタのスピンドルに嵌まっているスライダと協働する、
ことを特徴とする器具。
【請求項２】
プッシュロッドは、スライダに取り付けられている、
請求項１記載の器具。
【請求項３】
プッシュロッドは、ブロック要素に取り付けられている、
請求項１記載の器具。
【請求項４】
プッシュロッドは、カウンタのスピンドルの延長部として構成され、該スピドルは、軸方向に動くことができるように設けられている、
請求項１記載の器具。
【請求項５】
前記ブロック要素は、軸方向に動くことができる、
請求項１記載の器具。
【請求項６】
前記ブロック要素は、予備応力が加えられた板ばねである、
請求項１記載の器具。
【請求項７】
前記ブロック要素は、２つの脚部を備えている予備応力が加えられた板ばねであり、好ましくは金属で作られている、
請求項１又は６記載の器具。
【請求項８】
治療活性物質の入った液体を噴霧してエーロゾルを生じさせる小型化構造の高圧噴霧器の作動をブロックする、
請求項１記載の器具の用途。
【請求項９】
治療上活性の物質の入った液体を動物又はヒトの組織中に注入する小型化構造の針無し注射器の作動をブロックする、
請求項１記載の器具の用途。
【国際調査報告】
2005537130.tif 000007
2005537130.tif 000008
2005537130.tif 000009
2005537130.tif 000010
2005537130.tif 000011
2005537130.tif 000012
2005537130.tif 000013
2005537130.tif 000014